(57)【要約】【課題】設置型トランシーバの交換作業等のメンテナンスに手間がかからず、コストの低減と信頼性の向上が図れる電界通信システムを提供する。【解決手段】本発明は、電界通信用電極１２が自身に割り付けられた電極ＩＤ情報１２１を保持し、サーバが異なる電極ＩＤ情報毎に設定されたアッテネータ設定値、ノイズフィルタ設定値及び閾値設定値のデータファイル１４１を管理し、設置型トランシーバが電界通信用電極から電極ＩＤ情報を取得し、サーバのデータファイルを参照して取得した電極ＩＤ情報に対応するアッテネータ設定値、ノイズフィルタ設定値及び閾値設定値を読み出して自機の可変アッテネータ１３２６、可変ノイズフィルタ１３２５、閾値調整部１３２７それぞれに自動設定する電界通信システムを特徴とする。【選択図】図１
2010187103.tif 000002
【特許請求の範囲】
【請求項１】
壁や床に設置された設置型の電界通信用電極と、前記電界通信用電極に接続され、当該電界通信用電極に対して電界通信信号を送受する設置型トランシーバと、前記設置型トランシーバとネットワークを通じて接続されたサーバとで構成される電界通信システムにおいて、
前記電界通信用電極は、自身に割り付けられた電極ＩＤ情報を保持し、
前記サーバは、異なる複数の電極ＩＤ情報毎に設定されたアッテネータ設定値、ノイズフィルタ設定値及び閾値設定値のデータファイルを管理し、
前記設置型トランシーバは、前記電界通信用電極から電極ＩＤ情報を取得し、前記サーバのデータファイルを参照して前記取得した電極ＩＤ情報に対応するアッテネータ設定値、ノイズフィルタ設定値及び閾値設定値を読み出して自機の可変アッテネータ、可変ノイズフィルタ、閾値調整部それぞれに設定することを特徴とする電界通信システム。
【請求項２】
壁や床に設置された設置型の電界通信用電極と、前記電界通信用電極に接続され、当該電界通信用電極に対して電界通信信号を送受する設置型トランシーバと、前記設置型トランシーバとネットワークを通じて接続された設定端末とで構成される電界通信システムにおいて、
前記電界通信用電極は、自身に割り付けられた電極ＩＤ情報を保持し、
前記設定端末は、異なる複数の電極ＩＤ情報毎に設定されたアッテネータ設定値、ノイズフィルタ設定値及び閾値設定値のデータファイルを管理し、
前記設置型トランシーバは、前記電界通信用電極から電極ＩＤ情報を取得し、前記設定端末のデータファイルを参照して前記取得した電極ＩＤ情報に対応するアッテネータ設定値、ノイズフィルタ設定値及び閾値設定値を読み出して自機の可変アッテネータ、可変ノイズフィルタ、閾値調整部それぞれに設定することを特徴とする電界通信システム。
【請求項３】
壁や床に設置された設置型の電界通信用電極と、前記電界通信用電極に接続され、当該電界通信用電極に対して電界通信信号を送受する設置型トランシーバとで構成される電界通信システムにおいて、
前記電界通信用電極は、自身に接続されている設置型トランシーバに設定されているアッテネータ設定値、ノイズフィルタ設定値及び閾値設定値を保持するメモリを備え、
前記設置型トランシーバは、前記電界通信用電極のメモリに対して自機の可変アッテネータ、可変ノイズフィルタ、閾値調整部それぞれに設定に設定されているアッテネータ設定値、ノイズフィルタ設定値及び閾値設定値を書き込み、かつ、前記メモリに保持されている前記アッテネータ設定値、ノイズフィルタ設定値及び閾値設定値を読み出して自機の可変アッテネータ、可変ノイズフィルタ、閾値調整部それぞれに設定する受信特性制御部を備えたことを特徴とする電界通信システム。
【請求項４】
制御装置からのデータを電界通信信号に変換して電界通信用電極に送出するための送信部と、
前記電界通信用電極から電界通信信号を受信してデータに変換して前記制御装置に送出する受信部と、
可変アッテネータ、可変ノイズフィルタ、閾値設定部、及び、前記制御装置からアッテネータ設定値、ノイズフィルタ設定値及び閾値設定値の指令値を受信し、前記可変アッテネータ、可変ノイズフィルタ及び閾値設定部それぞれの設定値を自動調整する受信特性制御部と、
前記制御装置に設けられたフラッシュメモリ用スロットとを備え、
前記制御装置は、前記フラッシュメモリ用スロットに装着されたフラッシュメモリに自機用に最適に設定されたアッテネータ設定値、ノイズフィルタ設定値及び閾値設定値のデータを記憶させることを特徴とする設置型トランシーバ。
【発明の詳細な説明】
【技術分野】
【０００１】
本発明は、電界通信システム及び設置型トランシーバに関する。
【背景技術】
【０００２】
例えば、電界通信を利用したセキュリティドアシステムでは、電界通信用電極をセキュリティドアの近くの壁面やドアの前の床面に設置し、電界通信機能を備えた携帯端末を携帯している利用者が電界通信用電極の上に立つと、利用者の生体を媒体として携帯端末側の電極と壁面あるいは床面に設置された電界通信用電極との間の電界通信経路が確立され、携帯端末側のトランシーバとシステム側の設置型トランシーバ（例えば、特開２００１−３５２２９８号公報―特許文献１）との間にて電界通信が開始され、携帯端末に記録されているＩＤ情報が送信されると、システム側のサーバがＩＤ情報を照合し、照合が成立すればセキュリティドアのロック解除を行い、セキュリティドアを自動オープンさせ、あるいは利用者がセキュリティドアを自分で開けられるようにしている。
【０００３】
このような電界通信を利用したセキュリティドアシステムでは、正規のＩＤ情報が記録されていない携帯端末を所持している来訪者や携帯端末を所持していない来訪者がドア前の電界通信電極上に立ってもＩＤ照合が成立しないのでセキュリティドアが開くことがなく、そのセキュリティ性は高い。しかも、正規のＩＤ取得者はそのＩＤ情報が記録されている携帯端末を携帯していれば、セキュリティドアの前に立つだけでドアオープンし、あるいは自分でドアを開けることができ、通常のセキュリティ管理されていない自動ドアあるいは手動開閉ドアに対するのと同様に、セキュリティを特に意識することなく出入りできる利点がある。
【０００４】
しかしながら、このようなシステムに利用する電界通信システムには、メンテナンスにおいて次のような問題点があった。従来、図１１に示すように、設置型トランシーバ１の設置調整には、実際の現場において電界通信用電極２に外付けのノイズフィルタやアッテネータ３を接続し、スペクトラムアナライザ４によって電界通信信号を観察しながらアッテネータの設定値やノイズフィルタの設定値を調整し、その現場に最適な設定値にアッテネータ、ノイズフィルタを設定し、この後に設置型トランシーバ１を接続する作業を行っている。尚、図１１において、５はネットワーク、６はサーバ、１１はセキュリティドアを示している。
【０００５】
ところが、このような設置作業を行うのでは、設置型トランシーバ１の交換作業が必要になる度に新規の設置型トランシーバ１に対して繰り返し同じメンテナンス作業が必要となり、設置、メンテナンス作業に手間がかかる問題点がった。また、外付けのノイズフィルタやアッテネータを必要とし、導入コストが高く付く問題点もあった。加えて、接続点が多く、信頼性が低下する問題点もあった。
【０００６】
このような問題点を解決するためには、図１２に示すように、設置型トランシーバ１Ａに可変調整可能な可変ノイズフィルタ、可変アッテネータを内蔵させたものを利用することが考えられる。このような可変調整可能な設置型トランシーバ１Ａであれば、ネットワーク５を介して設定端末７を設置型トランシーバ１Ａに接続し、設定端末７によって信号強度やノイズ状況を観察し、設置型トランシーバ１Ａのアッテネータの設定値やノイズフィルタの設定値を可変調整し、その現場に最適な設定値に可変アッテネータ、可変ノイズフィルタを設定することができる。
【０００７】
しかしながら、このような提案されている設置型トランシーバ１Ａにあっても、アッテネータの設定値やノイズフィルタの設定値はその設置型トランシーバ内にて設定されるものなので、新規の設置型トランシーバ１Ａへの交換作業が必要になれば、上と同じ調整作業が再び必要となり、やはりメンテナンス作業に手間がかかる問題点がある。
【先行技術文献】
【特許文献】
【０００８】
【特許文献１】特開２００１-３５２２９８号公報
【発明の概要】
【発明が解決しようとする課題】
【０００９】
本発明は、上述した従来技術や提案技術の課題に鑑みてなされたもので、設置型トランシーバの交換作業等のメンテナンスに手間がかからず、コストの低減と信頼性の向上が図れる電界通信システム及び設置型トランシーバを提供することを目的とする。
【課題を解決するための手段】
【００１０】
請求項１の発明は、壁や床に設置された設置型の電界通信用電極と、前記電界通信用電極に接続され、当該電界通信用電極に対して電界通信信号を送受する設置型トランシーバと、前記設置型トランシーバとネットワークを通じて接続されたサーバとで構成される電界通信システムにおいて、前記電界通信用電極は、自身に割り付けられた電極ＩＤ情報を保持し、前記サーバは、異なる複数の電極ＩＤ情報毎に設定されたアッテネータ設定値、ノイズフィルタ設定値及び閾値設定値のデータファイルを管理し、前記設置型トランシーバは、前記電界通信用電極から電極ＩＤ情報を取得し、前記サーバのデータファイルを参照して前記取得した電極ＩＤ情報に対応するアッテネータ設定値、ノイズフィルタ設定値及び閾値設定値を読み出して自機の可変アッテネータ、可変ノイズフィルタ、閾値調整部それぞれに設定する電界通信システムを特徴とする。
【００１１】
請求項２の発明は、壁や床に設置された設置型の電界通信用電極と、前記電界通信用電極に接続され、当該電界通信用電極に対して電界通信信号を送受する設置型トランシーバと、前記設置型トランシーバとネットワークを通じて接続された設定端末とで構成される電界通信システムにおいて、前記電界通信用電極は、自身に割り付けられた電極ＩＤ情報を保持し、前記設定端末は、異なる複数の電極ＩＤ情報毎に設定されたアッテネータ設定値、ノイズフィルタ設定値及び閾値設定値のデータファイルを管理し、前記設置型トランシーバは、前記電界通信用電極から電極ＩＤ情報を取得し、前記設定端末のデータファイルを参照して前記取得した電極ＩＤ情報に対応するアッテネータ設定値、ノイズフィルタ設定値及び閾値設定値を読み出して自機の可変アッテネータ、可変ノイズフィルタ、閾値調整部それぞれに設定する電界通信システムを特徴とする。
【００１２】
請求項３の発明は、壁や床に設置された設置型の電界通信用電極と、前記電界通信用電極に接続され、当該電界通信用電極に対して電界通信信号を送受する設置型トランシーバとで構成される電界通信システムにおいて、前記電界通信用電極は、自身に接続されている設置型トランシーバに設定されているアッテネータ設定値、ノイズフィルタ設定値及び閾値設定値を保持するメモリを備え、前記設置型トランシーバは、前記電界通信用電極のメモリに対して自機の可変アッテネータ、可変ノイズフィルタ、閾値調整部それぞれに設定に設定されているアッテネータ設定値、ノイズフィルタ設定値及び閾値設定値を書き込み、かつ、前記メモリに保持されている前記アッテネータ設定値、ノイズフィルタ設定値及び閾値設定値を読み出して自機の可変アッテネータ、可変ノイズフィルタ、閾値調整部それぞれに設定する受信特性制御部を備えた電界通信システムを特徴とする。
【００１３】
請求項４の発明は、制御装置からのデータを電界通信信号に変換して電界通信用電極に送出するための送信部と、前記電界通信用電極から電界通信信号を受信してデータに変換して前記制御装置に送出する受信部と、可変アッテネータ、可変ノイズフィルタ、閾値設定部、及び、前記制御装置からアッテネータ設定値、ノイズフィルタ設定値及び閾値設定値の指令値を受信し、前記可変アッテネータ、可変ノイズフィルタ及び閾値設定部それぞれの設定値を自動調整する受信特性制御部と、前記制御装置に設けられたフラッシュメモリ用スロットとを備え、前記制御装置は、前記フラッシュメモリ用スロットに装着されたフラッシュメモリに自機用に最適に設定されたアッテネータ設定値、ノイズフィルタ設定値及び閾値設定値のデータを記憶させる設置型トランシーバを特徴とする。
【発明の効果】
【００１４】
請求項１、２の発明の電界通信システムによれば、設置型トランシーバが新規にある現場に設置されれば、電界通信用電極から電極ＩＤ情報を取得し、サーバあるいは設定端末のデータファイルを参照して取得した電極ＩＤ情報に対応するアッテネータ設定値、ノイズフィルタ設定値及び閾値設定値を読み出して自機の可変アッテネータ、可変ノイズフィルタ、閾値調整部それぞれに設定することができるので、設置型トランシーバの交換作業時に技術者がその現場の環境に適合するようにアッテネータ設定値、ノイズフィルタ設定値及び閾値設定値を初期設定と同じ作業により調整しなくても済み、交換メンテナンスの作業労力を軽減でき、また同種の設置型トランシーバを種々の異なる現場に汎用的に使用できるのでコストの低減が図れ、また接続点も少なくて済むので信頼性の向上も図れる。
【００１５】
請求項３の発明の電界通信システムによれば、設置型トランシーバが新規にある現場に設置されれば、電界通信用電極のメモリから先に接続されていた設置型トランシーバのアッテネータ設定値、ノイズフィルタ設定値及び閾値設定値を読み出して自機の可変アッテネータ、可変ノイズフィルタ、閾値調整部それぞれに設定することができるので、設置型トランシーバの交換作業時に技術者がその現場の環境に適合するようにアッテネータ設定値、ノイズフィルタ設定値及び閾値設定値を初期設定と同じ作業により調整しなくても済み、交換メンテナンスの作業労力を軽減でき、また同種の設置型トランシーバを種々の異なる現場に汎用的に使用できるのでコストの低減が図れ、また接続点も少なくて済むので信頼性の向上も図れる。
【００１６】
請求項４の発明の設置型トランシーバによれば、設置型トランシーバをある現場に交換設置する場合、その現場に設置されていた交換前の設置型トランシーバからフラッシュメモリを取り出して新規に設置する設置型トランシーバのメモリスロットに装着するだけで、設置型トランシーバ側でメモリに保持されているその現場に適した以前のアッテネータ設定値、ノイズフィルタ設定値及び閾値設定値をフラッシュメモリから読み出して自機の可変アッテネータ、可変ノイズフィルタ、閾値調整部それぞれに設定することができ、そのために、設置型トランシーバの交換作業時に技術者がその現場の環境に適合するようにアッテネータ設定値、ノイズフィルタ設定値及び閾値設定値を初期設定と同じ作業を繰り返して調整しなくても済み、交換メンテナンスの作業労力を軽減でき、また同種の設置型トランシーバを種々の異なる現場に汎用的に使用できるのでコストの低減が図れ、また接続点も少なくて済むので信頼性の向上も図れる。
【図面の簡単な説明】
【００１７】
【図１】本発明の第１の実施の形態の電界通信システムのブロック図。
【図２】上記第１の実施の形態の電界通信システムにおける設置型トランシーバのブロック図。
【図３】上記設置型トランシーバ内の可変フィルタのブロック図。
【図４】上記設置型トランシーバ内の可変アッテネータのブロック図。
【図５】上記設置型トランシーバ内の閾値調整部のブロック図。
【図６】上記実施の形態の電界通信システムによる新規の設置型トランシーバへの交換時の受信特性設定値のセットアップ手順のシーケンス図。
【図７】本発明の第２の実施の形態の電界通信システムによる新規の設置型トランシーバへの交換時の受信特性設定値のセットアップ手順のシーケンス図。
【図８】本発明の第３の実施の形態の電界通信システムのブロック図。
【図９】上記第３の実施の形態の電界通信システムによる新規の設置型トランシーバへの交換時の受信特性設定値のセットアップ手順のシーケンス図。
【図１０】本発明の第４の実施の形態の電界通信システムに使用する設置型トランシーバのブロック図。
【図１１】従来例の電界通信システムのブロック図。
【図１２】従来提案されている電界通信システムのブロック図。
【発明を実施するための形態】
【００１８】
以下、本発明の実施の形態を図に基づいて詳説する。
【００１９】
［第１の実施の形態］
図１は、本発明の第１の実施の形態の電界通信システムを示している。本実施の形態の電界通信システムは、セキュリティドアやセキュリティゲートのようにあらかじめＩＤが与えられた社員、会員、関係者等の資格者だけを自動的に識別して入室あるいは通過を許可するセキュリティドアシステムに利用するものであり、セキュリティドアあるいはセキュリティゲート（以下、セキュリティドア１１にて総称する）の近くの壁面あるいはドア１１の前の床面に電界通信用電極１２が設置してあり、この電界通信用電極１２に設置型トランシーバ１３が接続してあり、設置型トランシーバ１３は本システムを統括制御するサーバ１４にネットワーク１５を介して接続してある。尚、初期設定や再設定のために、設置型トランシーバ１３に対してネットワーク１５を通じてノートパソコンのような設定端末１６を接続することができる。この設定端末１６と設置型トランシーバ１３との接続は、ＲＳ２３２ＣのＩＯポート経由での接続であってもよい。また、電界通信を利用して、作業員が保持する電界通信機能付きの設定端末１６にて設定するようにすることもできる。
【００２０】
電界通信用電極１２は信号電極とグランド電極とを絶縁体の両側に挟むように設置したシート型あるいはフロアマット型のものである。以下では、床面に設置されたフロアマット型を例にして説明する。この電界通信用電極１２には上記の信号電極、グランド電極と共に不揮発性メモリ１２１にてＩＤ情報を保持し、設置型トランシーバ１３からの問い合わせによりＩＤ情報を送信する機能が設けてある。この不揮発性メモリ１２１は、通信機能を備えたマイコンであってもよい。
【００２１】
設置型トランシーバ１３は、電界信号検出技術を利用していて、送信すべき情報に基づく電界を電界伝達媒体に誘起させ、この誘起した電界を用いて情報の送受信を行うものであり、電気式、光学式のいずれも採用される。例えば、設置型トランシーバ１３は図２に示す構成であり、データを送信するための送信回路１３１と、データを受信するための受信回路１３２と、Ｉ／Ｏ回路１３３とを備えている。設置型トランシーバ１３は、コンピュータである制御装置１３４からの送信データを入出力（Ｉ／Ｏ）回路１３３にて受け取って送信信号に変換し、この送信信号を送信回路１３１を介して電界通信用電極１２に供給し、当該電極１２を介して電界伝達媒体２１である人体に電界を誘起させ、この電界を電界伝達媒体２１の他の部位に伝達させる。また、設置型トランシーバ１３は、電界伝達媒体２１に誘起されて伝達されてくる電界を電界通信用電極１２で受信し、電界信号を受信回路１３２で受信信号に変換し、さらにＩ／Ｏ回路１３３にて受信データに変換して制御装置１３４に出力する。
【００２２】
この受信回路１３２は、受信した電界通信信号を電気信号に変換する電界検出部１３２１、変換された電気信号に対して増幅、ノイズ除去などの信号処理を施す信号処理回路１３２２、この信号処理された電気信号に対して波形整形を行う波形整形回路１３２３を備え、さらに、本実施の形態の特徴として受信特性調整部１３２４を備えている。
【００２３】
上記の受信特性調整部１３２４は、ノイズフィルタとしての可変フィルタ１３２５、増幅度を調整する可変アッテネータ１３２６、ノイズと信号とを峻別するための閾値を調整する閾値調整部１３２７、そしてこれら可変フィルタ１３２５、可変アッテネータ１３２６、閾値調整部１３２７それぞれの設定値を制御装置１３４から送られてくる設定値に基づき自動調整する受信特性制御部１３２８から構成されている。
【００２４】
図３に示すように、可変フィルタ１３２５はハイパスフィルタＨＰＦとローパスフィルタＬＰＦで構成され、受信特性制御部１３２８から指定されるハイパス周波数、ローパス周波数を選択する。図３では、二重丸を付した値、つまり、ＨＰＦが４．２ＭＨｚ、ＬＰＦが５．９ＭＨｚに設定されている状態を例示している。
【００２５】
図４に示すように、可変アッテネータ１３２６は、複数のアッテネータＡＴＴ１，ＡＴＴ２，ＡＴＴ３にて構成され、それぞれ受信特性制御部１３２８から指定される値を設定する。図４では、ＡＴＴ１が−３ｄＢに、ＡＴＴ２が０ｄＢに、ＡＴＴ３が０ｄＢにそれぞれ設定されている状態を例示している。
【００２６】
図５に示すように、閾値調整部１３２７は、受信特性制御部１３２８から指定される値に閾値を設定する。図５では、０．５ｍＶに設定されている状態を例示している。
【００２７】
設置型トランシーバ１３の制御装置１３４は、ネットワーク１５を通じてサーバ１４と接続されている。また初期設定、交換メンテナンス等の場合、ネットワーク１５に接続された設定端末１６と通信を行うことができる。
【００２８】
上記構成の電界通信システムによる電界通信動作を、セキュリティドアの自動開閉のために用いられる場合について、以下に説明する。図１に示すように、来訪者２１がコンピュータ２２及びトランシーバ２３を備える携帯端末２４を携帯した状態でフロアマット型の電界通信用電極１２上に立つと、人体２１、電極１２を電界伝達媒体として携帯端末２４側のトランシーバ２３とシステム側の設置型トランシーバ１３との間で電界通信路が確立される。この通信路を介して、携帯端末２４のコンピュータ２２と、システム側のコンピュータである制御装置１３４との間で通信が可能になり、例えば携帯端末２４のコンピュータ２２からユーザＩＤ等の認証情報をシステム側の制御装置１３４に送信する。制御装置１３４では、受信した認証情報をサーバ１４に登録されている認証情報と照合し、照合成立すればセキュリティドア１１のロック解除可の信号をセキュリティドア制御部（図示せず）に出力し、セキュリティドアを自動オープンさせ、あるいはセキュリティドアをロック解除させて来訪者２１がセキュリティドアを自分で開けて入室できるようにする等のセキュリティドアのロック解除処理を行う。照合が成立しなかった場合には、セキュリティドアをロック解除しない。
【００２９】
このような電界通信システムにおける初期設定作業、交換メンテナンス作業について説明する。図１に示すように、初期設定作業では、現場において、設置型トランシーバ１３を所定の位置に設置されている電界通信用電極１２と接続する。この電界通信用電極１２に組み込んだ不揮発性メモリ１２１にはユニークなＩＤ情報、ここでは場所ＩＤとして「００１」が割り付けられているものとする。
【００３０】
設定端末１６をネットワーク１５を通じて設置型トランシーバ１３の制御装置１３４のネットワークインタフェース（ＮＷ／ＩＦ）１３４１に接続し、電界通信用電極１２のノイズ状況、信号強度を測定する。そして、ノイズ状況に応じて可変フィルタ１３２５のＨＰＦのカット周波数、ＬＰＦのカット周波数を適切なものに設定し、可変アッテネータ１３２６の複数のアッテネータＡＴＴ１，ＡＴＴ２，ＡＴＴ３それぞれの設定値も適切なものに設定する。さらに、閾値調整部１３２７の閾値も適切なものに設定する。
【００３１】
この初期設定作業が完了すれば、設定端末１６を用いて制御装置１３４が受信特性制御部１３２８にて可変フィルタ１３２５、可変アッテネータ１３２６、閾値調整部１３２７に設定した受信特性設定値を制御装置１３４の記憶部１３４２に記憶させると共に、電界通信用電極１２のＩＤ情報と対応させたデータとしてサーバ１４の受信特性設定値ファイル１４１に登録する。
【００３２】
次に、既設の設置型トランシーバ１３を新規の設置型トランシーバ１３−２と交換するメンテナンス作業が必要になった場合、次のようにして受信特性設定を行う。新規の設置型トランシーバ１３−２を既設の設置型トランシーバ１３と置き換え、その新規の設置型トランシーバ１３−２をネットワーク１５に接続する。そして設定端末１６をこのネットワーク１５に接続し、ネットワーク１５に対して新規の設置型トランシーバ１３−２の制御装置１３４とサーバ１４と設定端末１６が接続された状態にする。そして、設定端末１６にて制御装置１３４に対して初期設定指令を与える。
【００３３】
これにより、新規の設置型トランシーバ１３−２の制御装置１３４は、図６の手順により、自動的に受信特性設定動作を開始する。そして、まず、制御装置１３４は接続されている電界通信用電極１２の不揮発性メモリ１２１にＩＤ取得要求を送信してＩＤ情報を取得する（ステップＳＱ１，ＳＱ２）。
【００３４】
新規の設置型トランシーバ１３−２の制御装置１３４は、接続されている電界通信用電極１２からＩＤ情報を取得すれば、取得したＩＤ情報に対応する設定値取得要求をサーバ１４に送信する（ステップＳＱ３）。これに対して、サーバ１４は受信特性設定値ファイル１４１を参照して、送られてきたＩＤ情報に対応して登録されている受信特性設定値を読み出して新規の設置型トランシーバ１３−２に対して送信する（ステップＳＱ４）。
【００３５】
このようにして、新規の設置型トランシーバ１３−２では、制御装置１３４がサーバ１４からＩＤ情報「００１」に対する受信特性設定値、すなわち、交換前の設置型トランシーバ１３に対して最初に設定された受信特性設定値である可変フィルタ１３２５のＨＰＦのカット周波数設定値、ＬＰＦのカット周波数設定値、可変アッテネータ１３２６の複数のアッテネータＡＴＴ１，ＡＴＴ２，ＡＴＴ３それぞれの設定値、閾値調整部１３２７の閾値を取得し、取得した受信特性設定値を受信特性制御部１３２８に指令し、受信特性制御部１３２８は受け取った指令により可変フィルタ１３２５のＨＰＦ、ＬＰＦ、可変アッテネータ１３２６の複数のアッテネータＡＴＴ１，ＡＴＴ２，ＡＴＴ３、閾値調整部１３２７それぞれに取得した設定値を設定する。こうして、交換前の設置型トランシーバ１３に対する初期設定が図３〜図５に示した通りである場合、交換後の新規の設置型トランシーバ１３−２に対しても同様の設定値に自動的に設定できることになる。
【００３６】
これにより、本実施の形態の電界通信システムによれば、ビル建物のセキュリティドアシステムのように多数の出入口に対してセキュリティドアを設置する場合、多数台の電界通信用電極１２とそれぞれに対する多数台の設置型トランシーバ１３を設置する必要があるが、各設置型トランシーバ１３は同一型のものを使用しても設置現場に応じてその現場のノイズ状況や信号強度に応じて受信特性を自在に調整、設定することができる。そして、各現場の既設の設置型トランシーバ１３を新規な設置型トランシーバに交換する場合には、初期設定作業をすることなく、サーバ１４からその現場の電界通信用電極１２との電界通信に適切な受信特性設定値を取得して自己設定できるので、交換メンテナンス作業に必要な労力を削減できる。
【００３７】
尚、本実施の形態では、サーバ１４にて異なる複数の電極ＩＤ情報毎に設定されたアッテネータ設定値、ノイズフィルタ設定値、閾値設定値のデータファイルを管理させるようにしたが、これに代えて、設置型トランシーバ１３に接続する設定端末１６にデータファイル１４１を保持、管理させ、設置型トランシーバ１３は、電界通信用電極１２のメモリ１２１から電極ＩＤ情報を取得し、設定端末１６のデータファイル１４１を参照して取得した電極ＩＤ情報に対応するアッテネータ設定値、ノイズフィルタ設定値及び閾値設定値を読み出して自機の可変アッテネータ１３２６、可変ノイズフィルタ１３２５、閾値調整部１３２７それぞれに設定するシステム構成にすることもできる。
【００３８】
［第２の実施の形態］
本発明の第２の実施の形態の電界通信システムについて、図７を用いて説明する。本実施の形態の特徴は、サーバ１４側の機能にあり、交換後の新規の設置型トランシーバ１３−２に対する現場に応じた受信特性値の自動設定が、設定端末１６を用いずにサーバ１４と設置型トランシーバ１３−２との間でネットワーク１５を通じた通信により行えるようにした点にある。尚、以下、第１の実施の形態と共通する要素について共通の符号を用いて説明する。
【００３９】
サーバ１４は図７に示す設定処理機能を備えていて、本システムの起動時、また周期的に新規の設置型トランシーバ１３−２の接続を確認する。この接続確認には、サーバ１４が通信できる設置型トランシーバそれぞれのアドレス、例えば、ＩＰアドレスあるいはＭＡＣアドレス等のリストに登録されていないものがあるかないかにより判断する（ステップＳＱ１１）。
【００４０】
そして、新規の設置型トランシーバ１３−２の接続が確認されれば、当該設置型トランシーバ１３−２の制御装置１３４に対して電極のＩＤ取得指令を送信する（ステップＳＱ１２）。
【００４１】
このＩＤ取得指令を受信すれば、第１の実施の形態と同様に、制御装置１３４は接続されている電界通信用電極１２の不揮発性メモリ１２１にＩＤ取得要求を送信してＩＤ情報を取得する（ステップＳＱ１３，ＳＱ１４）。接続されている電界通信用電極１２からＩＤ情報を取得すれば、サーバ１４に取得したＩＤ情報に対応する設定値取得要求を送信する（ステップＳＱ１５）。
【００４２】
これに対して、サーバ１４は受信特性設定値ファイル１４１を参照して、送られてきたＩＤ情報に対応して登録されている受信特性設定値を読み出して新規の設置型トランシーバ１３−２に対して送信する（ステップＳＱ１６）。
【００４３】
このようにして、新規の設置型トランシーバ１３−２では、制御装置１３４がサーバ１４からＩＤ情報「００１」に対する受信特性設定値、すなわち、交換前の設置型トランシーバ１３に対して最初に設定された受信特性設定値である可変フィルタ１３２５のＨＰＦのカット周波数設定値、ＬＰＦのカット周波数設定値、可変アッテネータ１３２６の複数のアッテネータＡＴＴ１，ＡＴＴ２，ＡＴＴ３それぞれの設定値、閾値調整部１３２７の閾値を取得し、取得した受信特性設定値を受信特性制御部１３２８に指令し、受信特性制御部１３２８は受け取った指令により可変フィルタ１３２５のＨＰＦ、ＬＰＦ、可変アッテネータ１３２６の複数のアッテネータＡＴＴ１，ＡＴＴ２，ＡＴＴ３、閾値調整部１３２７それぞれに取得した設定値を設定する。
【００４４】
これにより、本実施の形態の電界通信システムによれば、第１の実施の形態と同様の作用、効果を奏する上に、交換メンテナンス作業時に、設定端末１６の接続なしで新規の設置型トランシーバ１３−２とサーバ１４との間だけで受信特性設定値の自動設定が行える利点がある。
【００４５】
尚、本実施の形態にあっても、サーバ１４にて異なる複数の電極ＩＤ情報毎に設定されたアッテネータ設定値、ノイズフィルタ設定値、閾値設定値のデータファイルを管理させる代わりに、設置型トランシーバ１３に接続する設定端末１６にデータファイル１４１を保持、管理させ、設置型トランシーバ１３は、電界通信用電極１２のメモリ１２１から電極ＩＤ情報を取得し、設定端末１６のデータファイル１４１を参照して取得した電極ＩＤ情報に対応するアッテネータ設定値、ノイズフィルタ設定値及び閾値設定値を読み出して自機の可変アッテネータ１３２６、可変ノイズフィルタ１３２５、閾値調整部１３２７それぞれに設定するシステム構成にすることもできる。そしてその場合には、上とは逆に、サーバ１４との接続なしで新規の設置型トランシーバ１３−２と設定端末１６との間だけで受信特性設定値の自動設定が行える利点がある。
【００４６】
［第３の実施の形態］
本発明の第３の実施の形態の電界通信システムを図８、図９を用いて説明する。本実施の形態の電界通信システムは、電界通信用電極１２に特徴を有し、第１の実施の形態では自電極のＩＤ情報のみを保持する不揮発性メモリ１２１を搭載させているが、本実施の形態の場合、自電極のＩＤ情報と共に設置型トランシーバ１３の受信特性設定値をも保持し、かつ、新規に接続された設置型トランシーバ１３−２に対してその受信特性設定値を送信して設定させることを特徴とする。尚、以下の説明でも、第１の実施の形態と共通する要素には共通の符号を用いて説明する。
【００４７】
図８は、本実施の形態のシステム構成を示しており、セキュリティドアの近くの壁面あるいはドア１１の前の床面に電界通信用電極１２が設置してあり、この電界通信用電極１２に設置型トランシーバ１３が接続してあり、設置型トランシーバ１３は本システムを統括制御するサーバ１４にネットワーク１５を介して接続してある。尚、初期設定や再設定のために、設置型トランシーバ１３に対してネットワーク１５を通じてノートパソコンのような設定端末１６を接続することができる。
【００４８】
電界通信用電極１２には信号電極、グランド電極と共に不揮発性メモリ１２１ＡにてＩＤ情報と接続される設置型トランシーバ１３に設定されている最適な受信特性設定値を保持し、新規な設置型トランシーバ１３−２からの要求により受信特性設定値のデータを送信する機能を備えている。
【００４９】
設置型トランシーバ１３は第１の実施の形態と同様である。ただし、設置型トランシーバ１３の制御装置１３４は、本実施の形態の場合、サーバ１４に設定値取得要求を行う代わりに、接続時に電界通信用電極１２に設定値取得要求を送信し、また電極１２から設定値取得応答を受信して自機に設定する点が異なる。
【００５０】
設置型トランシーバ１３に対しては、初期設定作業には、第１の実施の形態と同様に、設定端末１６を用いてノイズ状況や信号強度を計測し、可変フィルタ１３２５、可変アッテネータ１３２６、閾値調整部１３２７それぞれに最適な値を設定し、記憶部１３４２に記憶させると共に、電界通信用電極１２の不揮発性メモリ１２１Ａに受信特性設定値を書き込む。
【００５１】
そして設置型トランシーバ１３が新規の設置型トランシーバ１３−２に交換、設置され、電界通信用電極１２に接続され、セットアップする時に、設置型トランシーバ１３−２の制御装置１３４は電界通信用電極１２に対して受信特性設定値の取得要求を行い、取得応答にて受信した受信特性設定値を用いて新規の設置型トランシーバ１３−２に対して自動設定する。
【００５２】
すなわち、図９に示すように、新規の設置型トランシーバ１３−２における制御装置１３４は起動時に受信特性設定値がデフォルトのままか否かを判断し（ステップＳＱ２１）、未設定であれば電極１２に対して受信特性設定値取得要求を送信する（ステップＳＱ２２）。
【００５３】
そして受信特性設定値を電極１２から受信すれば、制御装置１３４は設置型トランシーバ１３−２の受信特性制御部１３２８にその受信特性設定値を伝達し、受信特性制御部１３２８にて可変フィルタ１３２５、可変アッテネータ１３２６、閾値調整部１３２７それぞれに受信した設定値を設定させる（ステップＳＱ２３）。
【００５４】
これにより、本実施の形態の電界通信システムによれば、第１の実施の形態と同様の作用、効果を奏する上に、交換メンテナンス作業時に、設定端末１６の接続なしで新規の設置型トランシーバ１３−２と電界通信用電極１２との間だけで受信特性設定値の自動設定が行える利点がある。
【００５５】
［第４の実施の形態］
本発明の第４の実施の形態を図１０を用いて説明する。本実施の形態の特徴は、設置型トランシーバ１３自身にメモリスロット１３４５を設け、受信特性設定値のデータをこのメモリスロット１３４５に装着したフラッシュメモリ１３４６に保持させることを特徴とする。尚、その他の構成については第１の実施の形態と共通であるので、重複する説明は省略し、以下では共通の符号を用いて説明する。
【００５６】
本実施の形態の場合、新規の設置型トランシーバ１３−２と交換する時には、交換前の設置型トランシーバ１３のメモリスロット１３４５からフラッシュメモリ１３４６を取り出して新規の設置型トランシーバ１３−２のメモリスロット１３４５に装着させる。新規の設置型トランシーバ１３−２では、セットアップ時に制御装置１３４のメモリスロット１３４５のフラッシュメモリ１３４６から受信特性設定値を読み出し、これを受信特性設定制御部１３２８を通じて可変フィルタ１３２５、可変アッテネータ１３２６、閾値調整部１３７に設定させることで、交換前の最適な受信特性設定値を新規の設置型トランシーバ１３−２に引き継がせる。
【００５７】
本実施の形態によれば、第１の実施の形態と同様の作用、効果を奏する上に、交換メンテナンス作業時に、設定端末１６の接続なしで新規の設置型トランシーバ１３−２に受信特性設定値の自動設定が行える利点がある。
【００５８】
［その他の実施の形態］
以上、本発明の実施の形態について説明してきたが、本発明の要旨を逸脱しない範囲において、本発明の実施の形態に対して種々の変形や変更を施すことができる。また、電界通信方式は光学式、電気式のいずれでもよく、特定されるものではない。
【００５９】
また、上記の実施の形態では、自動ドアやオートロックドアの開閉にＩＤ番号を利用するセキュリティドアシステムの技術について例示したが、これに限らず、例えば、プリンタ側に設置されている電界通信電極に携帯端末を携帯しているユーザがタッチすれば、その携帯端末に登録されているＩＤ番号にて該当ユーザのドキュメントを指定してプリントアウトする文書印刷システムや他の用途にも適用することもできる。
【符号の説明】
【００６０】
１１  セキュリティドア
１２  電界通信用電極
１３  設置型トランシーバ
１３−２  新規の設置型トランシーバ
１４  サーバ
１５  ネットワーク
１６  設定端末
２１  来訪者
１３１  送信回路
１３２  受信回路
１３３  入出力（Ｉ／Ｏ）回路
１３４  制御装置
１３２１  電界検出部
１３２２  信号処理回路
１３２３  波形整形回路
１３２４  受信特性調整部
１３２５  可変フィルタ
１３２６  可変アッテネータ
１３２７  閾値調整部
１３２８  受信特性制御部
１３４１  ネットワークインタフェース（ＮＷ／ＩＦ）
１３４２  記憶部
１３４５  メモリスロット
１３４６  フラッシュメモリ
１４１  受信特性設定値ファイル
【図１】
2010187103.tif 000003
【図２】
2010187103.tif 000004
【図３】
2010187103.tif 000005
【図４】
2010187103.tif 000006
【図５】
2010187103.tif 000007
【図６】
2010187103.tif 000008
【図７】
2010187103.tif 000009
【図８】
2010187103.tif 000010
【図９】
2010187103.tif 000011
【図１０】
2010187103.tif 000012
【図１１】
2010187103.tif 000013
【図１２】
2010187103.tif 000014